(57)【要約】【課題】ユーザが携帯情報端末を操作する際の、携帯情報端末が利用可能となるまでの待ち時間を短縮することができる。【解決手段】携帯情報端末の端末側端子に接続されるイヤホン端子１０１と、イヤホン端子１０１と接続された１以上のスピーカユニット１０２と、導電性を有する１以上の球体を備えた接点方式の振動センサ１０３と、振動センサ１０３が振動を検知した場合に、イヤホン端子１０１と接続された端末側端子を介して、端末側端子を有する携帯情報端末に起動指示を出力する起動指示出力部１０４と、を備えるようにした。【選択図】図１
2015100096.tif 000002
【特許請求の範囲】
【請求項１】
携帯情報端末の端末側端子に接続されるイヤホン端子と、
前記イヤホン端子と接続された１以上のスピーカユニットと、
導電性を有する１以上の球体を備えた接点方式の振動センサと、
前記振動センサが振動を検知した場合に、前記イヤホン端子と接続された端末側端子を介して、当該端末側端子を有する携帯情報端末に起動指示を出力する起動指示出力部と、
を備えたイヤホン。
【請求項２】
前記イヤホン端子の一部を覆うカバーを更に備え、
前記振動センサ及び起動指示出力部は、前記カバー内に設けられている請求項１記載のイヤホン。
【請求項３】
前記１以上のスピーカユニットをそれぞれ覆うハウジングを更に備え、
前記振動センサ及び起動指示出力部は、前記ハウジング内に設けられている請求項１記載のイヤホン。
【発明の詳細な説明】
【技術分野】
【０００１】
本発明は、携帯情報端末と接続して用いられるイヤホンに関するものである。
【背景技術】
【０００２】
従来の技術として、固定電極と、転動自在な可動電極とが、相互接触して生じる電気的導通状態を検知する方式の傾斜・振動センサにおいて、固定電極と前記可動電極との接触が、固定電極の端部尖端で行われるものが知られていた（例えば、特許文献１参照）。
【先行技術文献】
【特許文献】
【０００３】
【特許文献１】特開２００９−２３８７１５号公報（第１頁、第１図等）
【発明の概要】
【発明が解決しようとする課題】
【０００４】
多くの携帯情報端末は、消費電力を抑えるため、一定時間操作が行われなかった場合や、ユーザからの簡単なボタン操作に応じて、電源がオフとなったり、省電力状態に移行したりするようになっている。
【０００５】
しかしながら、このような電源がオフ、あるいは省電力状態にある携帯情報端末は、ユーザから起動を指示する操作を受け付けた場合に、電源が投入されたり、省電力状態が解除されたりすることで、ユーザが利用可能な状態となるため、ユーザが携帯情報端末に触れてから実際に携帯情報端末を利用できるようになるまでに時間がかかってしまう、という課題があった。
【０００６】
本発明は、このような課題を解消するためになされたものであり、ユーザが携帯情報端末を操作する際の、携帯情報端末が利用可能となるまでの待ち時間を短縮することが可能なイヤホンを提供することを目的とする。
【課題を解決するための手段】
【０００７】
本発明のイヤホンは、携帯情報端末の端末側端子に接続されるイヤホン端子と、イヤホン端子と接続された１以上のスピーカユニットと、導電性を有する１以上の球体を備えた接点方式の振動センサと、振動センサが振動を検知した場合に、イヤホン端子と接続された端末側端子を介して、端末側端子を有する携帯情報端末に起動指示を出力する起動指示出力部と、を備えたイヤホンである。
【０００８】
かかる構成により、ユーザが携帯情報端末またはイヤホンに触れたことにより発生する振動によって、携帯情報端末を起動させることができ、ユーザが携帯情報端末を操作する際の、携帯情報端末が利用可能となるまでの待ち時間を短縮することができる。
【０００９】
また、本発明のイヤホンは、前記イヤホンにおいて、イヤホン端子の一部を覆うカバーを更に備え、振動センサ及び起動指示出力部は、カバー内に設けられているイヤホンである。
【００１０】
かかる構成により、ユーザが携帯情報端末を操作する際の、携帯情報端末が利用可能となるまでの待ち時間を短縮することができる。
【００１１】
また、本発明のイヤホンは、前記イヤホンにおいて、１以上のスピーカユニットをそれぞれ覆うハウジングを更に備え、振動センサ及び起動指示出力部は、ハウジング内に設けられているイヤホンである。
【００１２】
かかる構成により、ユーザが携帯情報端末を操作する際の、携帯情報端末が利用可能となるまでの待ち時間を短縮することができる。
【発明の効果】
【００１３】
本発明によるイヤホンによれば、ユーザが携帯情報端末を操作する際の、携帯情報端末が利用可能となるまでの待ち時間を短縮することができる。
【図面の簡単な説明】
【００１４】
【図１】本発明の実施の形態におけるイヤホンと、このイヤホンと接続される携帯情報端末との回路構成を説明するためのブロック図
【図２】同イヤホンの振動センサの一例を説明するための、鉛直方向に沿った断面図（図２（ａ））及びセンサ部の一部切り欠き斜視図（図２（ｂ））
【図３】同イヤホンのセンサ部の第二電極をセンサ部の上面側からみた模式図（図３（ａ））、及び、第一電極の電極をセンサ部の上面側からみた模式図（図３（ｂ））
【図４】同イヤホンのセンサ部の第一の変形例（図４（ａ）、第二の変形例（図４（ｂ）、第三の変形例（図４（ｃ）、第４の変形例（図４（ｄ）、及び第五の変形例（図４（ｅ））を示す模式図
【図５】同イヤホンと、このイヤホンと接続される携帯情報端末との構成の一例を説明するための図
【図６】同イヤホンの、第一の変形例の主要部を示す図（図６（ａ））、及び第二の変形例の主要部を示す図（図６（ｂ））
【発明を実施するための形態】
【００１５】
以下、イヤホン等の実施形態について図面を参照して説明する。なお、実施の形態において同じ符号を付した構成要素は同様の動作を行うので、再度の説明を省略する場合がある。
【００１６】
（実施の形態）
図１は、本実施の形態におけるイヤホンと、このイヤホンと接続される携帯情報端末との回路構成を説明するためのブロック図である。
【００１７】
イヤホン１は、イヤホン端子１０１、１以上のスピーカユニット１０２、振動センサ１０３、起動指示出力部１０４を備えている。なお、図１においては、スピーカユニット１０２が一つである場合を例に挙げて示しているが、スピーカユニット１０２は複数であってもよい。
【００１８】
振動センサ１０３は、センサ部１０３１と、振動検知部１０３２とを備えている。
【００１９】
携帯情報端末２は、端末側端子２００、起動指示受付部２０１、起動部２０２、処理実行部２０３、操作受付部２０４、及び表示部２０５を備える。
【００２０】
イヤホンとは、例えば、ユーザの耳に装着して音声を聞く装置である。耳に装着するとは、例えば、耳にあてたり、耳に差し込んだりすることである。ここでのイヤホンとは、例えば、いわゆるヘッドホンも含む概念である。
【００２１】
イヤホン端子１０１は、イヤホン１の端子であり、携帯情報端末２の端末側端子２００に接続される。イヤホン端子１０１は、例えば、携帯情報端末２の端末側端子２００に接続されるコネクタである。イヤホン端子１０１は、例えば、携帯情報端末２が出力する音声情報の入力を受け付けるための端子である。また、イヤホン端子１０１は、例えば、携帯情報端末２に対して後述する起動指示を出力する端子である。
【００２２】
イヤホン端子１０１の形状等は問わない。イヤホン端子１０１の形状は、例えば、端末側端子２００の形状に対応した形状、例えば、嵌合する形状を有している。端末側端子２００は、多くの携帯情報端末２が有している外部接続端子の一つであるイヤホンジャックに接続可能なイヤホンプラグであることが好ましい。イヤホンプラグは、制御用の情報、例えば、起動指示を出力する際に利用される端子や、マイク用の端子等をさらに備えたプラグ、例えば４極のステレオミニプラグに対応するプラグであってもよい。例えば、イヤホン端子１０１が、イヤホンプラグである場合、このイヤホンプラグを、端末側端子２００であるイヤホン用のジャックに挿入することで、イヤホン１を、携帯情報端末２に直接、着脱可能に接続することができる。
【００２３】
なお、イヤホン端子１０１は、イヤホン１を携帯情報端末２に接続可能であり、音声信号の入力や起動指示の出力が可能な端子であれば、イヤホンプラグ以外の端子、例えば、ＵＳＢ端子や、ライン入出力端子等であってもよい。
【００２４】
１以上のスピーカユニット１０２は、イヤホン端子１０１と接続されている。ここでの接続とは、例えば、電気的な接続である。スピーカユニット１０２は、例えば、電線を絶縁体で被覆したコード等でイヤホン端子１０１と接続されている。例えば、イヤホンがステレオタイプのイヤホンである場合、イヤホン端子であるステレオタイプの一のイヤホンプラグが、二つのスピーカユニット、あるいは二組のスピーカユニット、具体的には、左用のスピーカユニットと右用のスピーカユニットとにそれぞれ接続されている。
【００２５】
スピーカユニット１０２は、例えば、イヤホン端子１０１を介して携帯情報端末２から入力される音声信号を音波に変換して出力するユニットである。スピーカユニット１０２は、ボイスコイルと振動板とを備えたダイナミック型のスピーカや、バランスドアーマチュア型のスピーカ等を備えている。
【００２６】
なお、イヤホン端子１０１と、１以上のスピーカ端子との間には、携帯情報端末２の動作を制御するためのリモコン（図示せず）を有していてもよい。リモコンは、例えば、ユーザの操作に応じて、携帯情報端末２の端末側端子２００が出力する音声信号のボリューム等を制御する信号や、端末側端子２００が再生する音声情報の再生位置を制御する信号を出力するための制御部である。
【００２７】
振動センサ１０３は、導電性を有する１以上の球体を備えた接点方式の振動センサである。接点方式の振動センサとは、導電性球体の移動に応じて接点がオン、オフすることによって振動を検知するセンサである。振動センサ１０３は、三軸方向の振動センサ等の無指向の振動センサであることが好ましいが、二軸方向の振動センサ等の、指向性を有する振動センサであってもよい。以下、振動センサ１０３の一例について説明する。
【００２８】
図２は、本実施の形態におけるイヤホンの振動センサ１０３の一例を説明するための、振動センサ１０３の鉛直方向に沿った断面図（図２（ａ））及び振動センサ１０３が有するセンサ部１０３１の一部切り欠き斜視図（図２（ｂ））である。
【００２９】
センサ部１０３１は、球体１０２１、第一電極１０２２及び第二電極１０２３を有している。球体１０２１、第一電極１０２２、及び電極１０２３は、導電性を有している。
【００３０】
球体１０２１は、第一電極１０２２と接触する球体である。球体１０２１は、直径が０．３ｍｍ以上、１．５ｍｍ以下であることが好適である。直径がその範囲内である場合に、球体１０２１が繰り返して衝突したとしても、破損の起こる可能性が低いからである。球体１０２１は、センサ部１０３１内において移動可能に設けられている。そして、その移動に応じて、球体１０２１は、第二電極１０２３に接触または非接触となる。球体１０２１は、真球であってもよく、あるいは、センサ部１０３１内において移動可能な程度に球に近い形状であってもよい。なお、球体１０２１は、その移動に応じて、第一電極１０２２とも接触または非接触となってもよく、あるいは、第一電極１０２２に対しては絶えず接触するようになっていてもよい。本実施の形態によるセンサ部１０３１は、球体１０２１が通常、第一電極１０２２と第二電極１０２３とに接触しているノーマルクローズのセンサである。なお、球体１０２１の大きさ等については、振動を検知するという目的を実現可能な範囲においては、上記以外のどのような大きさであってもよい。かかることは、他の振動センサ１０３の構成要素等の大きさについても同様である。
【００３１】
センサ部１０３１の第一電極１０２２は、電極１０２２ａと、電極１０２２ｂとを有する。両電極１０２２ａ，１０２２ｂは、接続されており、１個の電極を形成している。第二電極１０２３は、球体１０２１と接触可能な円環状の形状を有する電極である。第一電極１０２２と、第二電極１０２３とは、非導電性樹脂１０２５によってそれぞれ決められた位置に設けられている。その非導電性樹脂１０２５は、例えば、液晶ポリマー（ＬＣＰ）であってもよく、ＰＰＳ樹脂（ポリフェニレンサルファイド樹脂）であってもよく、フッ素樹脂であってもよく、その他の非導電性の樹脂であってもよい。なお、その非導電性樹脂は、耐熱性を有することが好適である。
【００３２】
図３は、本実施の形態におけるイヤホン１のセンサ部１０３１の第二電極１０２３をセンサ部１０３１の上面側からみた模式図（図３（ａ））、及び、第一電極１０２２の電極１０２２ｂをセンサ部１０３１の上面側からみた模式図（図３（ｂ））である。
【００３３】
図３（ａ）に示すように、第二電極１０２３の内径は、球体１０２１の直径よりも大きいため、通常、両者は一点で接触する。なお、センサ部１０３１が振動する場合には、球体１０２１が第二電極１０２３に接触したり、非接触になったりすることを繰り返すため、それによって振動を検知できる。なお、そのことは、振動が直線的であるときに、より顕著である。
【００３４】
図３（ｂ）に示すように、電極１０２２ａは、円盤状の領域１０２２ａ−１と、その円盤状の領域１０２２ａ−１を囲む円環状の領域１０２２ａ−２と、さらにその領域１０２２ａ−３の外側の領域１０２２ａ−３とを有する。球体１０２１は、通常、円盤状の領域１０２２ａ−１上を移動する。なお、電極１０２２ａの円盤状の領域１０２２ａ−１等と対向する電極１０２２ｂの領域も、電極１０２２ａと同様の形状を有しているものとする。
【００３５】
センサ部１０３１において、第一電極１０２２と第二電極１０２３とは、球体１０２１の移動に応じてこの球体１０２１との接触状態が変化することにより、導通状態または非導通状態となる。接触状態とは、例えば、球体１０２１が第一電極１０２２及び第二電極１０２３に同時に接触する状態、球体１０２１が第一電極１０２２及び第二電極１０２３のいずれか一方のみに接触する状態、及び球体１０２１がいずれにも接触しない状態の三つの状態である。導通状態とは、電流が流れ得る状態である。すなわち、センサ部１０３１は、第一電極１０２２と第二電極１０２３とが球体１０２１を介して電気的に接続されたり、非接続となったりする。具体的には、第一電極１０２２と第二電極１０２３とは、球体１０２１が第一電極１０２２及び第二電極１０２３に同時に接触する状態において、導通状態となり、その他の接触状態においては、非導通状態となる。
【００３６】
振動検知部１０３２は、センサ部１０３１の振動を検知する。振動検知部１０３２は、第一電極１０２２と、第二電極１０２３とのそれぞれに接続されている。センサ部１０３１が振動することによって球体１０２１がセンサ部１０３１の内部で移動し、その結果、第一電極１０２２と第二電極１０２３との間で導通・非導通が繰り返されることになる。したがって、振動検知部１０３２は、第一電極１０２２と第二電極１０２３との導通状態と、非導通状態とが繰り返される場合（チャタリング）に振動を検知する。具体的には、振動検知部１０３２は、単位時間にＮ回以上の導通・非導通（オン・オフ）が繰り返された場合に、振動を検知してもよい。Ｎは２以上の整数である。なお、この振動を検知する振動検知部１０３２は公知のものであり、その詳細な説明を省略する。また、その導通・非導通の検知で用いる電圧・電流は、例えば、３Ｖ程度、１〜３μＡ程度であってもよく、あるいは、その他の値であってもよい。
【００３７】
なお、第一電極１０２２、球体１０２１、及び第二電極１０２３は導電性のものであればよく、それらの材質は問わない。例えば、銅やステンレス等の金属であってもよい。なお、球体１０２１は、運動性や第一及び第二電極１０２３，１３との接触性をよくするために、比重の大きい材質であることが好適である。したがって、球体１０２１は、タングステンやステンレス、鋼等の球体であってもよい。また、球体１０２１の表面や、第一電極１０２２及び第二電極１０２３の球体１０２１と接触する範囲の表面が導電性を有していればよいため、それらの表面に導電性に優れている金属薄膜を形成するようにしてもよい。その金属薄膜は、例えば、メッキや、薄膜印刷、コーティング、真空蒸着、スパッタリング等によって成膜されてもよい。その薄膜に用いられる金属は、例えば、ロジウムや白金、ルテニウム等であってもよい。なお、この段落に記載したことは、他のセンサの第一電極及び第二電極や導電性を有する球体についても同様であるとする。
【００３８】
また、センサ部１０３１内の球体１０２１が移動しうる空間は、センサ部１０３１のオン・オフに悪影響を及ぼす微細な粒子や水分等が入ることを防止するため、封止されることが好適である。また、その封止された内部雰囲気は、真空でもよく、乾燥空気や窒素、ヘリウム、アルゴン、キセノン等でもよい。なお、乾燥空気等を封入する場合には、減圧にして封入してもよい。また、この段落に記載したことは、他のセンサについても同様であるとする。
【００３９】
なお、本実施の形態によるセンサ部１０３１の構成は、図２で示されるものに限定されないことは言うまでもない。例えば、導電性を有する１以上の球体を備えた接点方式の振動センサであれば、センサ部１０３１は、他の構成であってもよい。例えば、センサ部１０３１として、導電性を有する１または２以上の球体と、この１または２以上の球体の移動に応じて、この球体との接触状態が変化することにより、導通状態または非導通状態となる第一電極及び第二電極とを備えている他のセンサ部を利用してもよい。例えば、センサ部１０３１として、２以上の球体の移動に応じて、２以上の球体と第一電極及び第二電極との接触関係、及び２以上の球体同士の接触関係が変化することにより、導通状態または非導通状態となる第一電極及び第二電極とを備えている他のセンサ部を利用してもよい。ここでの導通状態とは、１または２以上の球体を介して導通している（電気的に接続されている）状態である。
【００４０】
図４は、本実施の形態によるイヤホンのセンサ部の第一の変形例（図４（ａ）、第二の変形例（図４（ｂ）、第三の変形例（図４（ｃ）、第４の変形例（図４（ｄ）、及び第五の変形例（図４（ｅ））を示す模式図である。
【００４１】
例えば、センサ部１０３１として、図２で示した球体１０２１、第一電極１０２２、及び第二電極１０２３を備えたセンサ部１０３１に代えて、図４（ａ）〜図４（ｅ）に示すような球体１０２１、第一電極１０２２、及び第二電極１０２３を備えたセンサ部１０３１を用いるようにしてもよい。図４（ａ）は、特許第４１５３２１３号公報に記載のものである。図４（ａ）〜図４（ｅ）においても、球体１０２１の直径は、０．３〜１．５ｍｍであってもよい。また、図４（ａ）〜図４（ｅ）においても、導電性球体の直線的な各移動間隔は、２０μｍ以上、５００μｍ以下であってもよい。図４（ａ）〜図４（ｅ）において、図中における球体１０２１と、第一電極１０２２及び第二電極１０２３との位置関係が通常の状態であるとすると、図４（ｂ）、図４（ｃ）、図４（ｄ）に対応するセンサ部１０３１は、ノーマリオープンタイプのセンサとなり、図４（ａ）、図４（ｅ）に対応するセンサ部１０３１は、ノーマリクローズタイプのものとなる。
【００４２】
起動指示出力部１０４は、振動センサ１０３が振動を検知した場合に、イヤホン端子１０１と接続された端末側端子２００を介して、端末側端子２００を有する携帯情報端末２に起動指示を出力する。具体的には、起動指示出力部１０４は、振動センサ１０３が振動を検知した場合に、イヤホン端子１０１を介して、携帯情報端末２に起動指示を出力する。携帯情報端末２は、イヤホン端子１０１と接続された端末側端子２００を介して起動指示出力部１０４が出力する起動指示を受け付ける。
【００４３】
起動指示とは、イヤホン端子１０１により接続された携帯情報端末２を起動する指示である。起動指示は、例えば、携帯情報端末２に対し電源を投入（オン）する指示である。ただし、ここでの起動指示とは、例えば、携帯情報端末２を待機状態や、休止状態、スリープ状態から解除させる指示（復帰させる指示）を含む概念である。待機状態等から解除とは、例えば、携帯情報端末２の、待機状態において停止（オフ）していた機能を利用可能とすること（具体的にはオンすること）である。なお、待機状態において利用できなかった一部の機能のうちの少なくとも一以上の機能を利用可能となるようにする指示を、起動指示と考えてもよい。
【００４４】
待機状態とは、例えば、キーやボタンやタッチパネル等のユーザが操作する入力デバイスや、加速度センサ、ジャイロセンサ、ＧＰＳ通信モジュール、モニタ等の、携帯情報端末２が有している電子デバイスを停止した状態や、停止したモードである。ここでの停止とは、電力を消費しない状態とすることであり、電源のオフ等と考えてもよい。休止状態や、スリープ状態についても同様である。ただし、待機状態と、休止状態と、スリープ状態とにおいて、停止される機能やデバイスが適宜異なるようにしてもよい。なお、待機状態においては、電話やメール等を受け取るための機能やモジュール等は、起動した状態であってもよい。
【００４５】
起動指示出力部１０４は、振動センサ１０３が検知した振動が、予め指定された条件を満たす場合に、起動指示を出力するようにしてもよい。例えば、振動センサ１０３が、予め指定された時間以上振動を検出している場合に起動指示を出力するようにしてもよい。また、振動センサ１０３が、予め指定された頻度で振動を検出している場合に起動指示を出力してもよい。予め指定された頻度とは、例えば、予め指定された時間内の振動の検出回数や、予め指定された時間以内の時間を隔てて予め指定された回数以上の振動が検出されることである。このようにすることで、携帯情報端末２を利用する際に発生する振動以外の振動では、携帯情報端末２を起動させないようにすることができる。
【００４６】
また、起動指示出力部１０４は、振動センサ１０３が振動を検知している間は、起動指示や、携帯情報端末２を待機状態等に移行させないようにするための起動状態継続指示を、携帯情報端末２に出力するようにしてもよい。通常携帯情報端末２においては、電力消費を抑えるために、ユーザの操作を一定時間受け付けなかった場合、待機状態や、休止状態やスリープ状態に移行するような機能を有しているため、例えば、携帯情報端末２で情報を閲覧している状態であっても、ユーザの操作が行われなければ、待機状態に移行してしまうという不都合があった。しかしながら、上記のように振動を検知している間に、起動指示や、起動状態継続指示を送信することで、例えば、ユーザが携帯情報端末２を手で保持している間であれば、ユーザが一定時間操作を行わなくても、待機状態等へ移行しないようにすることができる。
【００４７】
ここでの出力とは、外部の装置への送信、他の装置や他のプログラムなどへの処理結果の引渡しなどを含む概念である。
【００４８】
なお、イヤホン１は、例えば、ボタン型電池等の電源（図示せず）を有していてもよい。ただし、電源を設ける代わりに、イヤホン１が接続された携帯情報端末２から、イヤホン端子１０１等を介して電力の供給を受けるようにしてもよい。
【００４９】
携帯情報端末２は、例えば、いわゆるスマートフォン等の多機能携帯電話や、携帯電話、ＰＤＡ（Ｐｅｒｓｏｎａｌ  Ｄｉｇｉｔａｌ  Ａｓｓｉｓｔａｎｔ）、タブレット型端末、電子手帳、電子ブックリーダ、携帯ゲーム機等である。携帯情報端末２は、イヤホン１を着脱可能に接続可能な端末である。携帯情報端末２は、起動指示により起動可能な端末である。具体的には、携帯情報端末２は、イヤホン１と接続され、イヤホン１からの起動指示に応じて起動する。
【００５０】
端末側端子２００は、イヤホン１のイヤホン端子１０１と着脱可能に接続される端子である。端末側端子２００は、例えば、音声信号をイヤホン端子１０１に出力する端子である。また、端末側端子２００は、例えば、イヤホン端子１０１を介して起動指示出力部１０４が出力する起動指示を受け付ける端子である。
【００５１】
端末側端子２００の形状等は問わない。端末側端子２００の形状は、例えば、イヤホン端子１０１の形状に対応した形状である。例えば、端末側端子２００は、例えば、イヤホン端子１０１の形状に嵌合する形状を有している。例えば、イヤホン端子１０１が、プラグ等の凸型端子である場合、端末側端子２００は、このプラグを挿入可能なジャックやソケット等の凹型の端子である。また、例えば、イヤホン端子１０１が、ジャックやソケット等の凹型の端子である場合、端末側端子２００は、この凹型端子に挿入可能なプラグ等の凸型端子である。端末側端子２００は、多くの携帯情報端末２が有している外部接続端子の一つであるイヤホンジャックを用いることが好ましい。このイヤホンジャックは、制御用の情報、例えば、起動指示を受け付ける際に利用される端子や、マイク用の端子をさらに備えたジャック、例えば４極のステレオミニプラグに対応するジャックであってもよい。例えば、イヤホン端子１０１が、イヤホンプラグである場合、端末側端子２００は、イヤホンジャックであってもよい。例えば、イヤホン端子１０１であるイヤホンプラグを、端末側端子２００であるイヤホン用のイヤホンジャックに挿入することで、イヤホン１を、携帯情報端末２に直接、着脱可能に接続することができる。
【００５２】
なお、端末側端子２００は、イヤホン１のイヤホン端子１０１と接続可能であり、音声信号の出力や起動指示の入力が可能な端子であれば、イヤホンジャック以外の端子、例えば、ＵＳＢ端子や、ライン入出力端子等であってもよい。
【００５３】
起動指示受付部２０１は、イヤホン１から出力される起動指示を、例えば、端末側端子２００を介して受け付ける。また、起動指示受付部２０１は、イヤホン１から出力される起動状態継続指示を、さらに、端末側端子２００を介して受け付けるようにしてもよい。ここでの起動指示等の受付は、起動指示等の入力受付や受信と考えてもよい。
【００５４】
起動部２０２は、起動指示受付部２０１が受け付けた起動指示に応じて、携帯情報端末２の起動を行う。例えば、起動部２０２は、起動指示に応じて携帯情報端末２に対し電源を投入（オン）する。また、起動部２０２が、例えば、起動指示に応じて携帯情報端末２を待機状態や、休止状態、スリープ状態から解除（復帰）させることも、ここでは起動指示に応じた起動と考えてもよい。例えば、起動部２０２は、携帯情報端末２の待機状態において利用できなかった一部の機能のうちの少なくとも一以上の機能を、利用可能となるようにする。例えば、起動部２０２は、停止状態（オフ状態）にあるキーやボタンやタッチパネル等のユーザが操作する入力デバイスや、加速度センサ、ジャイロセンサ、ＧＰＳ通信モジュール、モニタ等の、携帯情報端末２が有している電子デバイスに対し、起動指示に応じて電力を供給する。また、ここでの起動とは、携帯情報端末２を起動以外の操作が不可である状態から、操作可能な状態とすることと考えてもよい。
【００５５】
起動部２０２は、例えば、図示しない電力を供給する電源や、その電力供給を制御部（図示せず）等に、電力供給を行う指示や制御信号等を送信することにより、携帯情報端末２の起動を行ってもよい。起動部２０２は、例えば、上述したような携帯情報端末２を構成する２以上の各電子デバイスやモジュール等を、予め指定された順番で起動させるようにしてもよい。
【００５６】
また、起動部２０２は、起動指示受付部２０１が受け付けた起動状態継続指示に応じて、この起動状態継続指示が出力されている間は、携帯情報端末２を待機状態や、休止状態や、スリープ状態に移行させないようにしてもよい。
【００５７】
処理実行部２０３は、予め指定された処理を実行する。例えば、操作受付部２０４が受け付けた操作に応じた処理を実行する。例えば、処理実行部２０３は、図示しない記憶媒体等に格納されているアプリケーションプログラム等を、操作受付部２０４が受け付けた操作に応じて実行する。
【００５８】
処理実行部２０３は、通常、ＭＰＵやメモリ等から実現され得る。処理実行部２０３の処理手順は、通常、ソフトウェアで実現され、当該ソフトウェアはＲＯＭ等の記録媒体に記録されている。但し、ハードウェア（専用回路）で実現しても良い。
【００５９】
操作受付部２０４は、ユーザが入力する操作を受け付ける。操作受付部２０４は、例えば、操作を、図示しないテンキーやキーボードやタッチパネル等の入力デバイスを介して受け付ける。操作受付部２０４は、これらの入力手段のデバイスドライバーや、メニュー画面の制御ソフトウェア等で実現され得る。
【００６０】
表示部２０５は、処理実行部２０３が実行した処理結果等を表示する。表示部２０５は、ディスプレイデバイスを含むと考えても含まないと考えても良い。表示部２０５は、ディスプレイデバイスのドライバーソフトまたは、ディスプレイデバイスのドライバーソフトとディスプレイデバイス等で実現され得る。
【００６１】
なお、図示していないが、携帯情報端末２は、加速度センサ、ジャイロセンサ、ＧＰＳ通信モジュール等の電子デバイスやモジュールや、モニタ等を有していてもよい。また、上述した処理実行部２０３は、これらのデバイス等が出力する情報等を利用して、処理を実行してもよい。また、携帯情報端末２が、音声情報等の情報を送受信するアンテナや送受信部等（図示せず）を備えていてもよいことはいうまでもない。
【００６２】
図５は、本実施の形態におけるイヤホンと、このイヤホンと接続される携帯情報端末との構成の一例を説明するための図である。なお、ここでは、イヤホン１が、二つのスピーカユニット１０２を備えたステレオタイプのイヤホンである場合を例に挙げて説明する。
【００６３】
イヤホン１のイヤホン端子１０１は、例えば、起動指示を出力することが可能なイヤホン端子である。具体的には、イヤホン端子１０１は、例えば、イヤホンプラグである。例えば、イヤホン端子１０１は、イヤホンプラグの端子の接続状態の組み合わせによって、抵抗値等を変更することで、起動指示を出力することが可能な端子である。
【００６４】
イヤホン１は、イヤホン端子１０１の一部を覆うカバー１０５を備えている。カバー１０５は、例えば、絶縁性を有していれば、その材質は問わない。カバー１０５は、具体的には、イヤホン端子１０１の、コード１０６の電線と接続されている部分等を覆っている。ただし、イヤホン端子１０１の端末側端子２００と接続される部分は、カバー１０５で覆わないようにする。また、ここでは、一例として、振動センサ１０３及び起動指示出力部１０４は、カバー１０５内に設けられている。
【００６５】
二つのスピーカユニット１０２は、それぞれ、電線をビニル等の絶縁性を有する材質で被覆して構成されたコード１０６によりイヤホン端子１０１と接続されている。イヤホン１は、スピーカユニット１０２をそれぞれ覆うハウジング１０７を備えている。各ハウジング１０７には、スピーカユニット１０２が出力する音声を出力するための開口部１０７ａが設けられている。
【００６６】
携帯情報端末２は、例えば、スマートフォンと呼ばれる多機能携帯電話であり、端末側端子２００としてステレオタイプのイヤホンジャックを備えている。
【００６７】
次に、イヤホン１の動作の一例について説明する。
【００６８】
まず、振動センサ１０３は、振動を検知したか否かを判断する。振動センサ１０３が振動を検知しなかった場合、再度振動を検知したか否かの判断を繰り返す。
【００６９】
振動センサ１０３が振動を検知した場合、起動指示出力部１０４は、振動センサ１０３が検知した振動が、予め指定された条件を満たすか否かを判断する。この条件は、図示しない記憶媒体に予め格納されていてもよいし、この条件は、判断処理を行うアルゴリズムに組み込まれた条件であってもよい。
【００７０】
振動センサ１０３が検知した振動が、予め指定された条件を満たさない場合、起動指示の出力は行わず、再度、振動センサ１０３が、上述した振動検知の判断処理を行う。
【００７１】
振動センサ１０３が検知した振動が、予め指定された条件を満たす場合、起動指示出力部１０４は、起動指示をイヤホン端子１０１を介して携帯情報端末２に送信する。そして、再度、振動センサ１０３が、上述した振動を検知する処理に戻る。なお、上記の処理は、電源オフや処理終了の割り込みにより終了してよい。
【００７２】
なお、起動指示出力部１０４は、既に携帯情報端末２が起動している場合、起動指示を携帯情報端末２に送信しないようにしてもよい。例えば、イヤホン端子１０１を介して、携帯情報端末２から、携帯情報端末２が起動していることを示す予め指定された情報、あるいは任意の情報が出力されている場合に、起動指示出力部１０４が、携帯情報端末２が起動していると判断し、出力されていない場合、起動していないと判断してもよい。あるいは、携帯情報端末２が起動している場合、振動センサ１０３が振動を検知する処理を行わないようにしてもよい。また、起動指示出力部１０４が起動指示を出力した場合において、携帯情報端末２が既に起動している場合、携帯情報端末２が、この起動指示を破棄するようにしたり、この起動指示を無視したりするようにしてもよい。
【００７３】
次に、本実施の形態のイヤホン１の使用例について具体例を挙げて説明する。ここでは、図５に示したイヤホン１と、携帯情報端末２を用いた場合を例に挙げて説明する。
【００７４】
イヤホン１のイヤホン端子１０１であるイヤホンプラグを、携帯情報端末２の端末側端子２００であるイヤホンジャックに挿入することで、イヤホン端子１０１と端末側端子２００とが電気的に接続されるとともに、携帯情報端末２にイヤホン１が取り付けられる。イヤホン１のスピーカユニット１０２を有する２つのハウジング１０７を、ユーザの左右の耳にそれぞれ装着した状態で、携帯情報端末２の端末側端子２００から、音楽や、通話、効果音等の音声信号を出力すると、音声信号が、イヤホン端子１０１を介してスピーカユニット１０２に入力され、音声に変換されて、ユーザの耳に出力される。これにより、イヤホン１を、携帯情報端末２の音声を出力するための装置として用いることができる。例えば、携帯情報端末２の処理実行部２０３が、端末側端子２００を介して、音声信号を出力する。
【００７５】
ここで、例えば、イヤホン１と、このイヤホン１が取り付けられた状態の携帯情報端末２が、図示しない安定したテーブル上に載置され、予め指定された時間が経過するまで、携帯情報端末２に対して、ユーザによる操作等が行われなかったとすると、携帯情報端末２は待機状態となる。この待機状態は、例えば、電話の受信及びメールの受信のみが可能な状態であり、他の処理を行う図示しない処理部やデバイス等は、停止状態であるとする。ただし、電話の受信及びメールの受信もできない状態であってもよい。
【００７６】
テーブル上に置かれた状態では、イヤホン１の振動センサ１０３が振動を検知しないため、イヤホン１は起動指示の出力を行わない。
【００７７】
次に、ユーザが、携帯情報端末２を利用するために、テーブル上の携帯情報端末２を手に持って、テーブルから持ち上げたとする。この動作によって、携帯情報端末２に取り付けられたイヤホン１の振動センサ１０３のセンサ部１０３１の球体１０２１がセンサ部１０３１内を移動して、第一電極１０２２と第二電極とに同時に接触する状態と、同時に接触しない状態とを繰り返す。これにより、第一電極１０２２と第二電極１０２３との間において、導通状態と非導通状態とが繰り返され、振動検知部１０３２が、第一電極１０２２と第二電極１０２３との間の導通状態と非導通状態との繰り返しを検知する。そして、予め指定された時間内において検知した繰り返しの回数が閾値以上である場合に、振動検知部１０３２は、振動を検知したことを示す情報を起動指示出力部１０４に出力する。
【００７８】
起動指示出力部１０４は、振動検知部１０３２が出力する振動を検知したことを示す情報を受け付けると、最初に受信した時点からの時間の計測を図示しない時計等を用いて開始するとともに、振動検知部１０３２から最初に受信した時点以降に出力される振動を検知したことを示す情報の受信数をカウントする。そして、計測した時間が、予め指定された時間となるまでにカウントした振動を検知したことを示す情報の受信数が閾値以上である場合、起動指示出力部１０４は、起動指示を送信するための条件を満たすと判断する。ここでの予め指定された時間は、上記の振動検知部１０３２が振動を検知する際に利用する時間よりも長い時間とする。また、この時間は、数秒未満、好ましくは１秒未満であることが好ましい。なお、閾値未満である場合、条件を満たさないと判断し、起動指示を送信せず、再度、振動センサ１０３により振動を検知する処理を行う。
【００７９】
ここでは、例えば、予め指定された時間内においてカウントした振動を検知したことを示す情報の受信数が、閾値以上であったとすると、起動指示出力部１０４は、起動指示を送信するための条件を満たすと判断して、イヤホン端子１０１を介して起動指示を携帯情報端末２に送信する。
【００８０】
携帯情報端末２の起動指示受付部２０１は、端末側端子２００を介して、イヤホン１から起動指示を受け付ける。そして、起動部２０２は、起動指示受付部２０１が受け付けた起動指示に応じて、携帯情報端末２を起動させる。ここでは、起動部２０２は、携帯情報端末２を、待機状態から通常の起動状態に復帰させる。そして、例えば、表示部２０５が図示しないモニタ等に、携帯情報端末２の操作画面等を出力する。そして、処理実行部２０３は、例えば、操作受付部２０４が受け付けた操作に応じた処理を実行する。
【００８１】
なお、ここでは、携帯情報端末２をユーザが持ち上げた場合に、イヤホン１が振動を検知して携帯情報端末２を起動させる場合について説明したが、ユーザがイヤホン１のハウジング１０７等を持った場合においても、コード１０６等を介して、カバー１０５内の振動センサ１０３に振動が伝わるため、携帯情報端末２を同様に起動させることができる。
【００８２】
以上のように、本実施の形態によれば、ユーザが、携帯情報端末や、イヤホンに触れた際（例えば手に持つ際）の振動を検知して、イヤホンを取り付けた携帯情報端末の起動を行うため、ユーザが携帯情報端末を操作する際の、携帯情報端末を起動状態にするまでの待ち時間を短縮することができる。
【００８３】
例えば、ユーザが携帯情報端末２を利用するために、携帯情報端末２やイヤホン１を手に持った直後から携帯情報端末２の起動を行うようにして、ユーザが携帯情報端末２に対して起動する操作等を行うよりも前に、携帯情報端末２を起動を開始することができるため、携帯情報端末２を利用できるようにするまでの実質的な待ち時間を短くすることができる。この結果、例えば、省電力化を図るために、携帯情報端末を頻繁に電源オフや待機状態にして利用する場合においても、再度利用する際の起動による待ち時間を軽減して、利用時の利便性を損なわないようにすることができる。
【００８４】
図６は、本実施の形態のイヤホンの、第一の変形例の主要部を示す図（図６（ａ））、及び第二の変形例の主要部を示す図（図６（ｂ））である。
【００８５】
上記実施の形態においては、イヤホン１のイヤホン端子１０１のカバー１０５内に振動センサ１０３及び起動指示出力部１０４を設けた場合について説明したが、本発明においては、図６（ａ）に示すように、イヤホン１の一のハウジング１０７内に、振動センサ１０３及び起動指示出力部１０４を設けるようにしてもよい。このような場合においても、イヤホン１や、携帯情報端末２に触れた際の振動が、振動センサ１０３に伝達されて、携帯情報端末２を起動することが可能となる。
【００８６】
また、同様に、本発明においては、コード１０６上に、振動センサ１０３及び起動指示出力部１０４を設けるようにしてもよい。例えば、図６（ａ）に示すように、例えば、コード１０６に設けられた音声出力等を調節するためのリモコン１０８内に、振動センサ１０３及び起動指示出力部１０４を設けるようにしてもよい。このような場合においても、イヤホン１や、携帯情報端末２に触れた際の振動が、振動センサ１０３に伝達されて、携帯情報端末２を起動することが可能となる。
【００８７】
なお、これらの変形例においては、起動指示出力部１０４が出力する起動信号を、イヤホン端子１０１に出力するための電線等を、コード１０６に追加するようにしてもよく、あるいは、起動信号を、コード１０６が有する既存の電線を用いてイヤホン端子１０１に出力するようにしてもよい。
【００８８】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【００８９】
本発明は、以上の実施の形態に限定されることなく、種々の変更が可能であり、それらも本発明の範囲内に包含されるものであることは言うまでもない。
【産業上の利用可能性】
【００９０】
以上のように、本発明にかかるイヤホンは、携帯情報端末用のイヤホンとして適しており、特に、イヤホンと接続される端末側端子を介して入力される起動指示により起動することが可能な携帯情報端末用のイヤホン等として有用である。
【符号の説明】
【００９１】
１  イヤホン
２  携帯情報端末
１０１  イヤホン端子
１０２  スピーカユニット
１０３  振動センサ
１０４  起動指示出力部
１０５  カバー
１０６  コード
１０７  ハウジング
１０７ａ  開口部
１０８  リモコン
２００  端末側端子
２０１  起動指示受付部
２０２  起動部
２０３  処理実行部
２０４  操作受付部
２０５  表示部
１０３１  センサ部
１０３２  振動検知部
【図１】
2015100096.tif 000003
【図２】
2015100096.tif 000004
【図３】
2015100096.tif 000005
【図４】
2015100096.tif 000006
【図５】
2015100096.tif 000007
【図６】
2015100096.tif 000008